(57)【特許請求の範囲】
【請求項１】
室外側吸込口、室内側吐出口、及び給気用送風機を設けた給気風路と、第１の室内側吸込口、室外側吐出口、及び排気用送風機を設けた排気風路と、熱交換器とが筐体内に配置され、前記給気用送風機により前記室外側吸込口から前記筐体内に吸い込んだ外気と前記排気用送風機により前記第１の室内側吸込口から前記筐体内に吸い込んだ室内空気との間で前記熱交換器により熱交換を行う熱交換換気装置において、
新たに第２の室内側吸込口を設け、該第２の室内側吸込口を、前記給気風路における前記熱交換器と前記室外側吸込口との間と、前記排気風路における前記熱交換器と前記第１の室内側吸込口との間とに、それぞれ切替え可能に接続したことを特徴とする熱交換換気装置。
【請求項２】
前記第２の室内側吸込口は、前記給気風路と前記排気風路とに跨がる同一の配管により構成されていることを特徴とする請求項１記載の熱交換換気装置。
【請求項３】
前記第２の室内側吸込口を構成する前記配管の前記給気風路との接続部、及び該配管の前記排気風路との接続部に、それぞれ開口面積を調整可能なシャッターを設置したことを特徴とする請求項２記載の熱交換換気装置。
【請求項４】
前記第２の室内側吸込口は、居室に通じていることを特徴とする請求項２又は請求項３記載の熱交換換気装置。
【請求項５】
給気風路の室外側吸込口に、開口面積を調整可能なシャッターを設置したことを特徴とする請求項１乃至請求項４のいずれかに記載の熱交換換気装置。
【請求項６】
前記給気風路における前記熱交換器の上流側に、前記室外側吸込口から前記筐体内に吸い込んだ外気、又は該外気と前記第２の室内側吸込口から吸い込んだ室内空気との混合気を清浄するフィルターを設けたことを特徴とする請求項１乃至請求項５のいずれかに記載の熱交換換気装置。
【発明の詳細な説明】
【技術分野】
【０００１】
本発明は、給排気による換気と並行して給排気間での熱交換を行う熱交換換気装置に関する。
【背景技術】
【０００２】
従来のこの種の熱交換換気装置は、室外側吸込口、室内側吐出口、及び給気用羽根（送風機）を設けた給気風路と、室内側吸込口、室外側吐出口、及び排気用羽根（送風機）を設けた排気風路と、熱交換素子とが本体内に配置されている。そして、空調換気扇運転時には、給気用羽根により室外側吸込口から本体内に吸い込んだ外気と排気用羽根により室内側吸込口から本体内に吸い込んだ室内空気との間で熱交換素子により熱交換を行うことで、給排気による換気と並行して給排気間での熱交換を行えるようになっている。
また、このようなものにおいて、運転停止時には、スイッチと連動して、給気風路の室外側吸込口と排気風路の室外側吐出口とをシャッターにより閉じ、排気風路と給気風路とを外気から遮断し、外気の浸入を防ぐようにしたものがある。そして、シャッターを閉じたまま室内吐出用ダンパーと、室内吸込用ダンパーを開き、モーターにより、排気用羽根と給気用羽根を回転させることで、室内循環用吸込口より吸込まれた室内空気を熱交換素子を通し、室内循環用吐出口から吐出させることでサーキュレーターとして機能させ得るようになっている。また、本体の室内側吸込み口より吸込まれた室内空気も、熱交換素子を通し、循環用吐出口より室内に吐出されるようになっている（例えば、特許文献１参照）。
【先行技術文献】
【特許文献】
【０００３】
【特許文献１】特開昭６０−０１４０３０号公報（図３）
【発明の概要】
【発明が解決しようとする課題】
【０００４】
従来の熱交換換気装置は、運転停止時や室内循環運転時に、熱交換換気を停止させ、シャッターにより外風の進入を遮断することで、外気による温度低下を軽減可能とし、室内空気は循環運転をすることができる技術となっているが、この室内循環運転の間、室内空気は、外気との換気ができなくなる。改正建築基準法によれば、２４時間換気（住宅等の居室では換気回数０.５回/ｈｒ以上）が義務付けられている。このことから、室内循環運転時に温度低下を軽減しながら、外気との換気を行う技術が必要となる。
【０００５】
本発明は、前記のような課題を解決するためになされたもので、室内循環運転時に室内温度低下を軽減しながら換気できるようにすることを目的とする。
【課題を解決するための手段】
【０００６】
本発明に係る熱交換換気装置は、室外側吸込口、室内側吐出口、及び給気用送風機を設けた給気風路と、第１の室内側吸込口、室外側吐出口、及び排気用送風機を設けた排気風路と、熱交換器とが筐体内に配置され、前記給気用送風機により前記室外側吸込口から前記筐体内に吸い込んだ外気と前記排気用送風機により前記第１の室内側吸込口から前記筐体内に吸い込んだ室内空気との間で前記熱交換器により熱交換を行う熱交換換気装置において、新たに第２の室内側吸込口を設け、この第２の室内側吸込口を、前記給気風路における前記熱交換器と前記室外側吸込口との間と、前記排気風路における前記熱交換器と前記第１の室内側吸込口との間とに、それぞれ切替え可能に接続したものである。
【発明の効果】
【０００７】
本発明に係る熱交換換気装置においては、第２の室内側吸込口を、給気風路における熱交換器と室外側吸込口との間と、排気風路における熱交換器と第１の室内側吸込口との間とに、それぞれ切替え可能に接続しているので、第２の室内側吸込口より給気風路内に室内空気（暖気）を取り入れることができ、第２の室内側吸込口より給気風路内に取り入れた室内空気（暖気）と室外側吸込口より取り入れた外気（冷気）とを混合することができる。そして、この混合により温度低下が軽減された混合気は、さらに熱交換器により、室内側吸込口から取り入れられた室内空気と熱交換し、室内へ供給することができる。排気側の経路は、通常運転時と同様、室内側の空気を室外に排気している。このため、換気運転や室内循環運転と通常換気運転の切替えが可能となり、かつ室内への給気温度低下を軽減しつつ、第一種換気（給気・排気とも機械換気で強制的に行う換気方法）が可能となる。つまり、冬季の換気運転や室内循環運転時に室内温度低下を軽減しながら換気することができる。
【図面の簡単な説明】
【０００８】
【図１】本発明の実施形態に係る熱交換換気装置の通常換気運転時の換気状態を示す風路簡略図である。
【図２】本発明の実施形態に係る熱交換換気装置の温度低下低減運転時の換気状態を示す風路簡略図である。
【図３】本発明の実施形態に係る熱交換換気装置の急速排気運転時の換気状態を示す風路簡略図である。
【発明を実施するための形態】
【０００９】
図１は本発明の実施形態に係る熱交換換気装置の通常換気運転時の換気状態を示す風路簡略図である。図２は本発明の実施形態に係る熱交換換気装置の温度低下低減運転時の換気状態を示す風路簡略図である。図３は本発明の実施形態に係る熱交換換気装置の急速排気運転時の換気状態を示す風路簡略図である。
本発明の実施形態に係る熱交換換気装置は、図１乃至図３のように外気を室内へ取り込むための室外側吸込口１７と、室内空気を室外へ排出するための室外側吐出口１８と、トイレ・洗面・浴室の室内空気を室外へ排出するための第１の室内側吸込口１９と、外気を室内へ取込むための室内側吐出口２０とを有する。
【００１０】
図３中に実線矢印で示す（Ｅｉｎ→Ｅｏｕｔ）は、室外側吸込口１７と室内側吐出口２０とを連通する給気風路３１の空気の流れを示す。
また、図３中に破線矢印で示す（Ｆｉｎ→Ｆｏｕｔ）は、第１の室内側吸込口１９と室外側吐出口１８とを連通する排気風路３２の空気の流れを示す。
【００１１】
前記給気風路３１と排気風路３２との交差部には熱交換器３０が設置されている。また、給気風路３１における熱交換器３０の上流側に、室外側吸込口１７から筐体内に吸い込んだ外気、又はこの外気と後述の第２の室内側吸込口から吸い込んだ室内空気との混合気を清浄する空気清浄フィルター２５が設けられている。
【００１２】
また、給気風路３１内には、給気用モーター２８にて駆動される吸気用羽根２９が設置されているとともに、排気風路３２には、排気用モーター２６にて駆動される排気用羽根２７が設置されている。
【００１３】
また、居室に通じる第２の室内側吸込口２１が新たに設けられている。第２の室内側吸込口２１は、給気風路３１と排気風路３２とに跨がる同一の配管により構成され、給気風路３１における熱交換器３０と室外側吸込口１７との間と、排気風路３２における熱交換器３０と第１の室内側吸込口１９との間とに、それぞれ接続されている。
【００１４】
また、第２の室内側吸込口２１を構成する配管の給気風路３１との接続部に、開口面積を調整可能な電動式シャッター２２が設置されている。更に、第２の室内側吸込口２１を構成する配管の排気風路３２との接続部にも、開口面積を調整可能な電動式シャッター２３が設置されている。また、室外側吸込口１７にも、開口面積を任意に調整できる電動式シャッター２４が設置されている。また、図２中の符号３５は給気風路３１内において第２の室内側吸込口２１から取り込んだ室内空気と室外側吸込口１７から取り込んだ外気との混合部を示す。
【００１５】
図１中に破線矢印で示す（Ｇ１→Ｆｏｕｔ）は、第２の室内側吸込口２１から排気風路３２に連通する排気風路３３の空気の流れを示す。
図２中に破線矢印で示す（Ｇ２→Ｅｏｕｔ）は、第２の室内側吸込口２１から給気風路３１に連通する給気風路３４の空気の流れを示す。
【００１６】
次に、本発明の実施形態に係る熱交換換気装置の動作について図１乃至図３により説明する。
先ず、通常換気運転（第一種換気）について説明する。通常換気運転は、図１のように排気風路３３の排気用の電動式シャッター２３を開き、給気風路３４（図２参照）の給気用の電動式シャッター２２を閉じ、室外側吸込口１７の電動式シャッター２４を開く。これにより、給気経路は、給気風路３１（Ｅｉｎ→Ｅｏｕｔ）となり、室外側吸込口１７より取り込まれた外気は、空気清浄フィルター２５により清浄され、熱交換器３０にて給・排気間で温度交換され、室内側吐出口２０から室内へ供給される。
一方、排気経路は、排気風路３２（Ｆｉｎ→Ｆｏｕｔ）及び排気風路３３（Ｇ１→Ｆｏｕｔ）となり、第１の室内側吸込口１９から取り込まれたトイレ・洗面・浴室の室内空気と、第２の室内側吸込口２１から取り込まれた居室の空気は合流して、熱交換器３０にて給・排気間で温度交換され、室外側吐出口１８から室外へ排出される。
【００１７】
次に、室内循環運転となる室内温度低下低減換気運転（第一種換気）について説明する。室内温度低下低減換気運転は、図２のように排気風路３３（図１参照）の排気用の電動式シャッター２３を閉じ、給気風路３４の給気用の電動式シャッター２２を開く。また、室外側吸込口１７の電動式シャッター２４により、室外側吸込口１７の開口面積を一部塞ぐ。これにより、給気経路は、給気風路３１（Ｅｉｎ→Ｅｏｕｔ）及び給気風路３４（Ｇ２→Ｅｏｕｔ）となり、室外側吸込口１７より取り込まれた外気（冷気）は、第２の室内側吸込口２１より取り込まれた居室の空気（暖気）と混合部３５で混合され、温度が上昇させられる。そして、この温度が上昇した混合気は、空気清浄フィルター２５により清浄され、熱交換器３０にてさらに給・排気間の温度交換により温度が上昇させられ、室内側吐出口２０から室内へ供給される。
一方、排気経路は、排気経路３２（Ｆｉｎ→Ｆｏｕｔ）となり、第１の室内側吸込口１９から取り込まれたトイレ・洗面・浴室の室内空気は、熱交換器３０にて給・排気間で温度交換され、室外側吐出口１８から室外へ排出される。
【００１８】
次に、急速排気換気運転（第一種換気）について説明する。急速排気換気運転は、例えばトイレ使用直後など、急速（局所）換気が必要になった場合に行われるもので、図３のように排気風路３３（図１参照）の排気用の電動式シャッター２３及び給気風路３４（図２参照）の給気用の電動式シャッター２２を閉じ、室外側吸込口１７の電動式シャッター２４を開く。これにより、給気経路は、給気風路３１（Ｅｉｎ→Ｅｏｕｔ）となり、室外側吸込口１７より取り込まれた外気は、空気清浄フィルター２５により清浄され、熱交換器３０にて給・排気間で温度交換され、室内側吐出口２０から室内へ供給される。
一方排気経路は、排気経路３２（Ｆｉｎ→Ｆｏｕｔ）となり、第１の室内側吸込口１９から取り込まれたトイレ・洗面・浴室の室内空気は、熱交換器３０にて給・排気間で温度交換され、室外側吐出口１８から室外へ排出される。これにより、風量が増加し、急速排気運転が可能となる。
【００１９】
なお、各換気運転の切り替えは、各換気運転に任意に切替え可能なスイッチを設けて、使用者により行わせてもよく、又は室外の温度と室内の温度を温度センサーにより検知し、冬季、室外温度が、室内温度より一定温度以上低く、かつ外気温度が一定温度以下になった場合に自動的に運転が切り替えられる方式としてもよい。
【００２０】
以上のように、本発明の実施形態に係る熱交換換気装置によれば、冬季の換気運転や室内循環運転において、外気（冷気）を室内空気（暖気）と混合することで給気温度を上げた後、熱交換器によりさらに温度を上げる（温度交換する）ことが可能となるので、外気を取り入れながら、室内温度低下を軽減することができる。
【００２１】
また、本発明の実施形態に係る熱交換換気装置によれば、給気風路３１側と排気風路３２側への第２の室内側吸込口２１を同一の配管により構成しているので、換気運転設備の配管部材を削減することが可能となる。
【００２２】
また、本発明の実施形態に係る熱交換換気装置によれば、第２の室内側吸込口２１を構成する配管の給気風路３１との接続部、及びこの配管の排気風路３２との接続部に、それぞれ開口面積を調整可能な電動式シャッター２２，２３を設置したので、冬季の換気運転や室内循環運転と通常換気運転の切替えが可能となる。
【００２３】
また、本発明の実施形態に係る熱交換換気装置によれば、第２の室内側吸込口２１を構成する配管を、居室に通じるように構成しているので、換気運転時に、臭気の原因となるトイレ・洗面・浴室の空気を室内に戻すことがなく、臭気に関連するトラブルを未然に防止することができる。
【００２４】
また、本発明の実施形態に係る熱交換換気装置によれば、給気風路３１の室外側吸込口１７に、開口面積を調整可能なシャッター２４を設置したので、冬季の換気運転や室内循環運転時に、室内空気（暖気）と混合される外気（冷気）の風量を調整することができ、混合の温度の調整が可能となる。
【００２５】
また、本発明の実施形態に係る熱交換換気装置によれば、給気風路３１における熱交換器３０の上流側に、室外側吸込口３１から筐体内に吸い込んだ外気、又はこの外気と第２の室内側吸込口２１から吸い込んだ室内空気との混合気を清浄する空気清浄フィルター２５を設けたので、室内の空気を空気清浄フィルター２５により、清浄され室内に取り込むことができ、室内空気を清浄することができる。
【符号の説明】
【００２６】
１７  室外側吸込口、１８  室外側吐出口、１９  第１の室内側吸込口、２０  室内側吐出口、２１  第２の室内側吸込口、２２，２３，２４  電動式シャッター（シャッター）、２５  空気清浄フィルター（フィルター）、２６  排気用モーター、２７  排気用羽根、２８  給気用モーター、２９  吸気用羽根、３０  熱交換器、３１，３４  給気風路、３２，３３  排気風路、３５  外気と室内空気との混合部。
【図１】
0005791561.tif 000002
【図２】
0005791561.tif 000003
【図３】
0005791561.tif 000004